(57)【要約】【課題】  弁室内の復水の温度低下を促進できると共に弁室内の復水の温度を間接的に正確に検出できる温度応動弁を提供する。【解決手段】  入口１と出口２を有する本体３に蓋４をねじ結合して内部に弁室５を有する弁ケーシングを形成する。弁室５と出口２の間に弁口８を形成する。弁室５内に感温部材としてのバイメタル積層体２６と弁体１３を配置する。バイメタル積層体２６の変形作用で弁体１３を駆動して弁口８を開閉する。弁室５内の復水の有する熱を遠赤外線に変換して放射する熱放射セラミック３０を本体３の外面に設ける。弁室５内の復水の有する熱が熱放射セラミック３０により大気中へ放射されるので、弁室５内の復水の温度低下を促進させることができる。また、熱放射セラミック３０に表面温度計を押し当てて温度を検出することにより、弁室５内の復水の温度を間接的に正確に検出できる。【選択図】      図１
2007285390.tif 000002
【特許請求の範囲】
【請求項１】
弁ケーシングで入口と弁室と出口を形成し、弁室と出口の間に弁室と出口を連通する弁口を設け、弁室内に感温部材と弁体を配置し、感温部材の変形作用で弁体を駆動して弁口を開閉するものにおいて、弁室内の復水の有する熱を遠赤外線に変換して放射する熱放射セラミックを弁ケーシングの外面に設けたことを特徴とする温度応動弁。
【発明の詳細な説明】
【技術分野】
【０００１】
本発明は、被制御流体で加熱冷却され、その温度に応じて変形する感温部材により弁口を開閉する温度応動弁に関する。本発明の温度応動弁は所定温度以下の流体を系外に排出する場合に用いられ、特に所定温度以下の復水を自動的に排出する温調トラップとして用いる場合に好適なものである。
【背景技術】
【０００２】
温度応動弁は、弁ケーシングで入口と弁室と出口を形成し、弁室と出口の間に弁室と出口を連通する弁口を設け、弁室内に感温部材と弁体を配置し、感温部材の変形作用で弁体を駆動して弁口を開閉するものである。この温度応動弁においては、弁室内の復水の温度低下が上流配管の復水の温度低下よりも遅れるために、開弁動作が遅延して上流配管に排出すべき所定温度よりも低温の復水を滞留させてしまう問題点があった。そこで、従来は弁ケーシングの外面に放熱フィンを設けて弁室内の復水の温度低下を促進させることにより、弁室内の復水の温度低下と上流配管の復水の温度低下を同程度にしていた。
【０００３】
上記従来の温度応動弁においては、弁ケーシングが一般に鋳鉄や炭素鋼で形成されるため、弁ケーシングの外面に錆が発生して熱伝導率が変化すると共に凹凸ができる。そのため、開閉弁動作が正常に行われているか否かをチェックするために、弁ケーシングの外面に表面温度計を押し当てて、弁室内の復水の温度を間接的に検出するときに、正確な温度を検出できない問題点があった。
【特許文献１】実開昭５４−１１４８４６号公報
【発明の開示】
【発明が解決しようとする課題】
【０００４】
解決しようとする課題は、弁室内の復水の温度低下を促進できると共に弁室内の復水の温度を間接的に正確に検出できる温度応動弁を提供することである。
【課題を解決するための手段】
【０００５】
本発明は、弁ケーシングで入口と弁室と出口を形成し、弁室と出口の間に弁室と出口を連通する弁口を設け、弁室内に感温部材と弁体を配置し、感温部材の変形作用で弁体を駆動して弁口を開閉するものにおいて、弁室内の復水の有する熱を遠赤外線に変換して放射する熱放射セラミックを弁ケーシングの外面に設けたことを特徴とする。熱放射セラミックとしては、コージライト、遷移元素酸化物系セラミック、アルミナ、ジルコニア、チタニア、あるいは、酸化ケイ素と酸化アルミニウムの化合物等既知のものを使用することができるが、熱から遠赤外線への変換効率の高いものが適する。
【発明の効果】
【０００６】
本発明は、弁ケーシングの外面に熱放射セラミックを設けることにより、弁室内の復水の温度低下を促進させて弁室内の復水の温度低下と上流配管の復水の温度低下を同程度にすることができ、熱放射セラミックに表面温度計を押し当てて温度を検出することにより、弁室内の復水の温度を間接的に正確に検出することができるという優れた効果を生じる。
【発明を実施するための最良の形態】
【０００７】
本発明の温度応動弁は、弁室内の復水の有する熱を遠赤外線に変換して放射する熱放射セラミックを弁ケーシングの外面に設けたものである。そのため、弁室内の復水の有する熱が熱放射セラミックにより遠赤外線に変換されて大気中へ放射されることにより、弁室内の復水の温度低下を促進させることができ、弁室内の復水の温度低下と上流配管の復水の温度低下を同程度にすることができる。また、熱放射セラミックには錆が発生しないので、熱伝導率の変化や凹凸が生じない。そのため、熱放射セラミックに表面温度計を押し当てて温度を検出することにより、弁室内の復水の温度を間接的に正確に検出することができる。
【実施例１】
【０００８】
上記の技術的手段の具体例を示す実施例を説明する（図１参照）。入口１と出口２を有する本体３に蓋４をねじ結合して内部に弁室５を有する弁ケーシングを形成する。弁室５には入口１が通孔６を通して連通し、出口２が弁体嵌合孔７と弁口８と通孔９を通して連通する。弁体嵌合孔７と弁口８は本体３にねじ結合した弁座部材１０に形成する。弁室５内に入口１から流入する流体の流れ方向を規制し、流体中の異物を捕捉するスクリーン１１を配置する。弁口８に対向して弁軸１２を配置する。弁軸１２の下端には弁口８を開閉する円錐状の弁体１３を一体に設ける。
【０００９】
弁軸１２の上端側は蓋４にＯリング１６を介して進退調節可能にねじ結合した調節棒１７の弁軸嵌合孔１８に変位自在に嵌合する。弁体嵌合孔７と弁口８と弁軸嵌合孔１８は同一軸上に形成する。調節棒１７の上部は蓋４から突出し、その上端面にドライバー等の工具の先端が嵌る切割１９を設ける。調節棒１７の突出部にはロックナット２０を取付けて緩み止めを行い、キャップ２１で覆う。弁軸１２の中央部にばね受け２４を固定し、断面ほぼＵ字状で中央孔と上端の外側に鍔部を設けた中間部材２５を、中央孔を弁軸１２に変位自在にばね受け２４の下端面に当接させて嵌合する。弁軸１２の周りで、調節棒１７の下端面と中間部材２５の鍔部の間に感温部材としてのバイメタル積層体２６と平座金２７を配置する。バイメタル積層体２６はバイメタルディスクを湾曲方向を変えて組み合わせた２枚で一対とし、それを複数対重ねたものである。ばね受け２４の上端面と平座金２７の下端面の間にばね受け２４を弁口８方向に付勢する弁体付勢ばね２８を配置する。中間部材２５の鍔部と弁室５の底壁の間に復帰ばね２９を配置する。弁室５内の復水の有する熱を遠赤外線に変換して放射する熱放射セラミック３０を本体３の外面に設ける。熱放射セラミック３０は、酸化ケイ素と酸化アルミニウムの化合物と水とを混合した液体状のものを、弁室５周囲の本体３の外周面全体に塗布して乾燥させ積層した膜状のものである。熱放射セラミック３０の膜厚や塗布面積は、弁室３の復水の温度に応じて適宜調節することができる。
【００１０】
流体は入口１から通孔６とスクリーン１１を通って弁室５に入り、バイメタル積層体２６の周りを流れ、弁体嵌合孔７と弁口８から通孔９を通って出口２に流出する。バイメタル積層体２６は周囲の流体の温度が上昇して高温に加熱されると、各バイメタルディスクが湾曲してその度合が大きくなり、平座金２７と中間部材２５を介して復帰ばね２９を圧縮しながら積層方向に伸張する。これに伴い、中間部材２５と弁軸１２が弁口８方向に変位し、次第に弁口８の開度が小さくなり、終わりには弁体１３が弁口８を閉じる。弁体１３が弁口８を閉じた後、更に高温の流体が弁室５に流入すると、バイメタル積層体２６は復帰ばね２９と弁体付勢ばね２８を圧縮しながら更に伸張する。このとき、中間部材２５は弁口８方向に変位するが、弁軸１２は変位しない。弁室５の流体の温度が低下すれば、バイメタル積層体２６は湾曲力が小さくなり、復帰ばね２９で中間部材２５を介して押し戻される。これに伴い、中間部材２５と弁軸１２が弁口８から離れる方向に変位し、弁体１３が弁口８を開き、弁室５の流体が出口２に排出される。
【００１１】
弁室５内の復水の有する熱は熱放射セラミック３０により遠赤外線に変換されて大気中へ放射されるので、弁室５内の復水の温度低下を促進させることができ、弁室５内の復水の温度低下と上流配管の復水の温度低下を同程度にすることができる。また、熱放射セラミック３０には錆が発生せず熱伝導率の変化や凹凸が生じないので、熱放射セラミック３０に表面温度計を押し当てて温度を検出することにより、弁室５内の復水の温度を間接的に正確に検出することができる。
【図面の簡単な説明】
【００１２】
【図１】本発明の温度応動弁の断面図。
【符号の説明】
【００１３】
１  入口
２  出口
３  本体
４  蓋
５  弁室
７  弁体嵌合孔
８  弁口
１０  弁座部材
１２  弁軸
１３  弁体
１７  調節棒
１８  弁軸嵌合孔
２６  バイメタル積層体
３０  熱放射セラミック
【図１】
2007285390.tif 000003